(57)【特許請求の範囲】
【請求項１】
記録用レーザービームと再生用レーザービームを情報記録再生媒体に照射することによって、前記情報記録再生媒体に対する情報記録と情報再生を行うピックアップを有する光学式記録再生装置において、
前記ピックアップにより前記記録用レーザービーム又は前記再生用レーザービームが前記情報記録再生媒体に照射された際生じるトラッキングエラーの信号を検出する検出手段と、
前記検出手段から出力されるトラッキングエラーの信号を増幅して出力するトラッキングサーボゲイン調整用可変増幅手段と、
前記ピックアップが前記情報記録再生媒体のレーザパワー較正領域における未記録領域に前記記録用レーザービームを照射しながらトラックジャンプを行うことで前記検出手段により検出されるトラッキングエラーの信号を前記トラッキングサーボゲイン調整用可変増幅手段が第１増幅率で増幅することにより出力される信号の振幅値を格納する第１記憶手段と、
前記ピックアップが前記レーザパワー較正領域における記録後領域に前記再生用レーザービームを照射しながら前記検出手段で検出されるトラッキングエラーの信号の振幅値を格納する第２記憶手段と、
前記第１記憶手段に格納された振幅値と前記第２記憶手段に格納された振幅値とを比較する比較手段と、
前記記録後領域に前記再生用レーザービームを照射して前記検出手段により検出されるトラッキングエラーの信号を前記トラッキングサーボゲイン調整用可変増幅手段が増幅して出力する信号の振幅値と、前記第１記憶手段に格納されている振幅値とが一致するように、前記比較手段から出力される比較結果に基づいて、前記トラッキングサーボゲイン調整用可変増幅手段の増幅率を第２増幅率に調整する制御手段とが備えられ、
前記情報記録再生媒体に対する情報記録をするときは、前記トラッキングサーボゲイン調整用可変増幅手段が前記第１増幅率で増幅するトラッキングエラーの信号に基づいてトラッキングサーボ制御を行うとともに、前記情報記録再生媒体の情報再生をするときは、前記第２増幅率で増幅するトラッキングエラーの信号に基づいてトラッキングサーボ制御を行うことを特徴とする光学式記録再生装置。
【請求項２】
記録用レーザービームと再生用レーザービームを情報記録再記録用レーザービームと再生用レーザービームを情報記録再生媒体に照射することによって、前記情報記録再生媒体に対する情報記録と情報再生を行うピックアップを有する光学式記録再生装置において、
前記ピックアップにより前記記録用レーザービーム又は前記再生用レーザービームが前記情報記録再生媒体に照射された際生じるトラッキングエラーの信号を検出する検出手段と、
前記検出手段から出力されるトラッキングエラーの信号を増幅して出力するトラッキングサーボゲイン調整用可変増幅手段と、
前記ピックアップが前記情報記録再生媒体のレーザパワー較正領域における未記録領域に前記再生用レーザービームを照射しながら前記検出手段で検出されるトラッキングエラーの信号を前記トラッキングサーボゲイン調整用可変増幅手段が第１増幅率で増幅することにより出力される信号の振幅値を格納する第１記憶手段と、
前記ピックアップが前記レーザパワー較正領域における記録後領域に前記再生用レーザービームを照射しながら前記検出手段で検出されるトラッキングエラーの信号の振幅値を格納する第２記憶手段と、
前記第１記憶手段に格納された振幅値と前記第２記憶手段に格納された振幅値とを比較する比較手段と、
前記記録後領域に前記再生用レーザービームを照射して前記検出手段により検出されるトラッキングエラーの信号を前記トラッキングサーボゲイン調整用可変増幅手段が増幅して出力する信号の振幅値と、前記第１記憶手段に格納されている振幅値とが一致するように、前記比較手段から出力される比較結果に基づいて、前記トラッキングサーボゲイン調整用可変増幅手段の増幅率を第２増幅率に調整する制御手段とが備えられ、
前記情報記録再生媒体に対する情報記録をするときは、前記トラッキングサーボゲイン調整用可変増幅手段が前記第１増幅率で増幅するトラッキングエラーの信号に基づいてトラッキングサーボ制御を行うとともに、前記情報記録再生媒体の情報再生をするときは、前記第２増幅率で増幅するトラッキングエラーの信号に基づいてトラッキングサーボ制御を行うことを特徴とする光学式記録再生装置。
【発明の詳細な説明】
【０００１】
【産業上の利用分野】
本発明は、仕様形態の異なる書換え可能形の光ディスクに対する記録／再生時のサーボゲインを一定とした光学式記録再生装置に関する。
【０００２】
【従来の技術】
現在、光ディスクには、再生専用のコンパクトディスク（ＣＤ）や記録可能なＲ−ＣＤディスク等がある。
【０００３】
記録可能なディスクとしては、レーザ光を用いて記録／再生する方式をとる追記形（Write Once）と書換え可能形とがある。ディスクの構造はＣＤと同じであるが、異なる点は信号を記録する面である。
【０００４】
つまり、追記形の場合の記録信号面の材料は、ＴｅやＢｉを用い、これにレーザ光を当てるとその部分が熔融してピットが形成される方法と、Ｓｂ2Ｓｅ3、ＴｅＯｘや有機色素系の薄膜を用いてこれにレーザ光を当てると光の反射率が変化する方法の二通りがある。
【０００５】
一方、書換え可能形の場合の記録信号面の材料は、希土類金属（Ｇａ，Ｔｂ，Ｄｒ，Ｈｏ等）と３ｄ遷移金属（Ｆｅ，Ｃｏ，Ｎｉ）とのアモルファス合金が用いられており、信号の記録に際しては光磁気記録方式（Magnet Optics） が採用されている。ここでの記録は、外部磁界によって予めイニシャライズされている光磁気ディスクの記録面の所定箇所をレーザビームの照射によってキューリー温度（１５０℃程度）より上げると、そこに加わった外部磁界により記録面が垂直磁化される。読出しは、これに光を当てた時に偏光面がごくわずかに回転する現象（カー効果）を用いることによって行われる。
【０００６】
この他にＳｂＴｅＳｅやＩｎＳｅＴｅ等の材料を用い、結晶相からアモルファスとの相変化を光で読出す方式や、有機色素２相膜の熱変化を光で読出す方式等も研究されている。
【０００７】
図１は、上記の書換え可能形の光ディスクに対して信号の記録／再生を行う光ピックアップの基本構成を示すもので、レーザダイオード１からの出射光はコリメートレンズ２、マルチプリズム３、反射ミラー４及び対物レンズ５を経て光ディスクの記録面に集光される。レーザダイオード１からの出射光の一部はマルチプリズム３によってフロントモニタ用のフォトディテクタ６の検出面に集光されるようになっており、フォトディテクタ６の検出結果のフィードバックによってレーザダイオード１の出射光の出力の安定化が図られている。
【０００８】
光ディスクからの反射光は、対物レンズ５、反射ミラー４、マルチプリズム３、凸レンズ７、シリンドリカルレンズ８及びビームスプリッタ９を経てトラッキングエラー検出用のフォトディテクタＡ及びフォーカスエラー検出用のフォトディテクタＢの検出面に集光される。
【０００９】
このような構成の光ピックアップでは、信号の記録時にレーザダイオード１からの出射光のパワーを大とし、再生時においては出射光のパワーを小としている。
このため、信号の記録時及び再生時におけるトラッキングエラー（ＴＥ）サーボ及びフォーカスエラー（ＦＥ）サーボのゲインが異なるので、図２に示すサーボゲイン回路により、記録時及び再生時におけるサーボゲインを電気的に一定となるようにコントロールしている。
【００１０】
つまり、同図（ａ）はＴＥサーボ信号を得るためのサーボゲイン回路であり、フォトディテクタＡの検出面Ａ1 ，Ａ3 からの出力は減算器１０の＋入力とされている。検出面Ａ2 ，Ａ4 からの出力は減算器１０の−入力とされている。また検出面Ａ1 〜Ａ4 の出力は、加算器１１の入力とされている。減算器１０の出力Ｘ及び加算器１１の出力Ｙは、割り算器１２によってＸ／ＹのＴＥサーボ信号とされる。
【００１１】
一方、同図（ｂ）はＦＥサーボ信号を得るためのサーボゲイン回路であり、フォトディテクタＢの検出面Ｂ1 ，Ｂ4 からの出力は減算器１３の＋入力とされている。検出面Ｂ2 ，Ｂ3 からの出力は減算器１３の−入力とされている。また検出面Ｂ1 〜Ｂ4 の出力は、加算器１４の入力とされている。減算器１３の出力Ｘ及び加算器１４の出力Ｙは、割り算器１５によってＸ／ＹのＦＥサーボ信号とされる。
【００１２】
このように、ＴＥ信号及びＦＥ信号を全光量和で割ることにより、レーザダイオード１からの出射光のパワーが変化してもサーボゲインを一定とすることが可能となる。
【００１３】
【発明が解決しようとする課題】
ところで、プッシュプル法を用いた場合のトラッキングエラーに着目すると、信号の記録の前後でプッシュプルＴＥの変調度の変化の少ない光磁気ディスク等では、上述したサーボゲイン回路によりサーボゲインを一定とすることは可能である。
【００１４】
ところが、Ｒ−ＣＤ等に用いられる色素ディスクや書換え可能な相変化ディスク等では信号の記録の前後でプッシュプルＴＥ変調度が変化するため、サーボゲインが変動して不安定となる。これは、ピットの形状や深さ等によりエラー量と全光量とが比例関係にはならず、上述したように出力Ｘを全光量で割って正規化しようとしてもその値が異なってしまうからである。
【００１５】
本発明は、このような事情に対処してなされたもので、光ディスクの所定の領域（例えばＲ−ＣＤにおいては、パワー較正領域：ＰＣＡ）にテスト用信号を記録する動作に併せトラックジャンプしてＴＥ量を得、再生時にはそのＴＥ量と同一レベルとなるようにＴＥゲイン量を調整することにより、プッシュプルＴＥ変調度の変化を生じる光ディスクに対しても安定したＴＥサーボを掛けることができる光学式記録再生装置を提供することを目的とする。
【００１６】
【課題を解決するための手段】
本発明は、上記目的を達成するために、記録用レーザービームと再生用レーザービームを情報記録再生媒体に照射することによって、前記情報記録再生媒体に対する情報記録と情報再生を行うピックアップを有する光学式記録再生装置において、前記ピックアップにより前記記録用レーザービーム又は前記再生用レーザービームが前記情報記録再生媒体に照射された際生じるトラッキングエラーの信号を検出する検出手段と、前記検出手段から出力されるトラッキングエラーの信号を増幅して出力するトラッキングサーボゲイン調整用可変増幅手段と、前記ピックアップが前記情報記録再生媒体のレーザパワー較正領域における未記録領域に前記記録用レーザービームを照射しながらトラックジャンプを行うことで前記検出手段により検出されるトラッキングエラーの信号を前記トラッキングサーボゲイン調整用可変増幅手段が第１増幅率で増幅することにより出力される信号の振幅値を格納する第１記憶手段と、前記ピックアップが前記レーザパワー較正領域における記録後領域に前記再生用レーザービームを照射しながら前記検出手段で検出されるトラッキングエラーの信号の振幅値を格納する第２記憶手段と、前記第１記憶手段に格納された振幅値と前記第２記憶手段に格納された振幅値とを比較する比較手段と、前記記録後領域に前記再生用レーザービームを照射して前記検出手段により検出されるトラッキングエラーの信号を前記トラッキングサーボゲイン調整用可変増幅手段が増幅して出力する信号の振幅値と、前記第１記憶手段に格納されている振幅値とが一致するように、前記比較手段から出力される比較結果に基づいて、前記トラッキングサーボゲイン調整用可変増幅手段の増幅率を第２増幅率に調整する制御手段とが備えられ、前記情報記録再生媒体に対する情報記録をするときは、前記トラッキングサーボゲイン調整用可変増幅手段が前記第１増幅率で増幅するトラッキングエラーの信号に基づいてトラッキングサーボ制御を行うとともに、前記情報記録再生媒体の情報再生をするときは、前記第２増幅率で増幅するトラッキングエラーの信号に基づいてトラッキングサーボ制御を行うことを特徴とする。
【００１７】
また、本発明は、記録用レーザービームと再生用レーザービームを情報記録再記録用レーザービームと再生用レーザービームを情報記録再生媒体に照射することによって、前記情報記録再生媒体に対する情報記録と情報再生を行うピックアップを有する光学式記録再生装置において、前記ピックアップにより前記記録用レーザービーム又は前記再生用レーザービームが前記情報記録再生媒体に照射された際生じるトラッキングエラーの信号を検出する検出手段と、前記検出手段から出力されるトラッキングエラーの信号を増幅して出力するトラッキングサーボゲイン調整用可変増幅手段と、前記ピックアップが前記情報記録再生媒体のレーザパワー較正領域における未記録領域に前記再生用レーザービームを照射しながら前記検出手段で検出されるトラッキングエラーの信号を前記トラッキングサーボゲイン調整用可変増幅手段が第１増幅率で増幅することにより出力される信号の振幅値を格納する第１記憶手段と、前記ピックアップが前記レーザパワー較正領域における記録後領域に前記再生用レーザービームを照射しながら前記検出手段で検出されるトラッキングエラーの信号の振幅値を格納する第２記憶手段と、前記第１記憶手段に格納された振幅値と前記第２記憶手段に格納された振幅値とを比較する比較手段と、前記記録後領域に前記再生用レーザービームを照射して前記検出手段により検出されるトラッキングエラーの信号を前記トラッキングサーボゲイン調整用可変増幅手段が増幅して出力する信号の振幅値と、前記第１記憶手段に格納されている振幅値とが一致するように、前記比較手段から出力される比較結果に基づいて、前記トラッキングサーボゲイン調整用可変増幅手段の増幅率を第２増幅率に調整する制御手段とが備えられ、前記情報記録再生媒体に対する情報記録をするときは、前記トラッキングサーボゲイン調整用可変増幅手段が前記第１増幅率で増幅するトラッキングエラーの信号に基づいてトラッキングサーボ制御を行うとともに、前記情報記録再生媒体の情報再生をするときは、前記第２増幅率で増幅するトラッキングエラーの信号に基づいてトラッキングサーボ制御を行うことを特徴とする。
【００１８】
【作用】
本発明の光学式記録再生装置では、光ディスクの記録面の所定の領域にテスト用信号を記録する動作に併せトラックジャンプしてＴＥ量を得、再生時にはそのＴＥ量と同一レベルとなるようにＴＥゲイン量を調整するようにしたものである。
【００１９】
また、所定領域に記録されたテスト用信号の再生時、トラッキングサーボオープン状態でトラッキングエラーの振幅値を得、情報再生時においてはそのＴＥ量と同一レベルとなるようにＴＥゲイン量を調整するようにしたものである。
【００２０】
したがって、Ｒ−ＣＤ等に用いられる色素ディスクや書換え可能な相変化ディスク等において、信号の記録の前後でプッシュプルＴＥ変調度が変化する場合であっても、ＴＥゲイン量の調整が容易且つ確実となる。
【００２１】
【実施例】
以下、本発明の実施例の詳細を図面に基づいて説明する。なお、以下に説明する図において図２と共通する部分には同一符号を付し重複する説明を省略する。
【００２２】
図３は、本発明の光学式記録再生装置の一実施例に係るＴＥサーボ信号を得るためのサーボゲイン回路を示すものであり、フォトディテクタＡの検出面Ａ1 ，Ａ3 からの出力は減算器１０の＋入力とされている。検出面Ａ2 ，Ａ4 からの出力は減算器１０の−入力とされている。また検出面Ａ1 〜Ａ4 の出力は、加算器１１の入力とされている。減算器１０の出力Ｘ及び加算器１１の出力Ｙは、割り算器１２によってＸ／ＹのＴＥサーボ信号とされる。
【００２３】
割り算器１２の出力側には、再生時においてオンされる切換えスイッチ２０が配設されている。
【００２４】
割り算器１２の出力は、抵抗２５を介してアンプ２６に取り込まれる。アンプ２６の入出力間に介在されているゲイン可変抵抗２７の値はマイコン２９によりコントロールされる。
【００２５】
アンプ２６の出力は、Ａ／Ｄ変換器２８を介して、メモリ３０に格納される。ここで、メモリ３０に格納されるデータは、後述する光ディスクの記録面の所定の領域である記録パワー測定領域にテスト用信号を記録する動作に併せトラックジャンプして得られたＴＥ信号の振幅値である。
【００２６】
またアンプ２６の出力は、切換えスイッチ３１の端子ａに入力される。切換えスイッチ３１の端子ｂには、割り算器１２の出力が取込まれる。ここで、切換えスイッチ３１は、情報を記録する時、又は記録した情報を再生する時において端子ａ側に切換えられる。また、未記録の領域を再生するときには端子ｂ側に切換えられる。
【００２７】
一方、切換えスイッチ２０がオン状態にあるとき、割り算器１２の出力はＡ／Ｄ変換器２１を介してメモリ２２に格納される。ここで、メモリ２２に格納されるデータは、記録パワー測定領域（ＰＣＡ）に記録したテスト用信号の再生時におけるトラッキングエラーの信号の振幅値である。すなわち、メモリ２２には、割り算器１２から出力される信号の振幅値が格納される。
【００２８】
メモリ２２に格納されたデータは、リファレンス２３によってメモリ３０のデータと比較する振幅値に基準がとられた後、比較器２４によって比較される。マイコン２９は、テスト再生時におけるＴＥ信号をアンプ２６が増幅する振幅値とメモリ３０のデータ値とが合うように比較器２４の比較結果に基づいてアンプ２６のゲインを、ゲイン可変抵抗２７をコントロールすることで調整する。
【００２９】
なお、光ディスクのテスト記録時におけるパワーキャリブレ領域（ＰＣＡ）は、たとえば図４に示すように、リードインの内側のプログラムメモリ領域（ＰＭＡ）の更に内側に設けられている。なお、プログラムメモリ領域（ＰＭＡ）は、たとえば記録した情報の開始及び終了アドレス等が書込まれる領域である。
【００３０】
続いて、このような構成の光学式記録再生装置の動作を、図５を用いて説明する。
【００３１】
まず、テスト記録時においては、切換えスイッチ２０がオフ状態とされている。この状態でピックアップをパワーキャリブレ領域に移動させるとともに、記録すべき光ディスクに対しての最適な記録パワーの設定を行う（ステップ５０１）。
【００３２】
記録パワーの設定に際しては、たとえば仕様形態の異なる光ディスクに対する最適な記録パワーのデータをマイコン２９に格納しておき、光ディスクの仕様形態の検出を行った後に格納されているデータに基づいて設定するようにしてもよい。また、ＰＣＡに対してテスト記録及びテスト再生を繰り返して行い、最適な記録パワーを設定するようにしてもよい。
【００３３】
最適な記録パワーの設定を行った後、パワーキャリブレ領域にて最適化された記録パワーのレーザービームを照射しながらピックアップを１トラックジャンプさせ（ステップ５０２）、記録パワーオンと同時に行った上記１トラックジャンプのＴＥ信号の振幅値を得るとともに、この得た振幅値のデータをメモリ３０に格納する（ステップ５０３）。
【００３４】
記録パワー測定領域に記録したテスト用信号を再生してＴＥ信号を得るためのテスト再生時においては、切換えスイッチ２０がオンされ、再生時におけるＴＥ信号の振幅値のデータがメモリ２２に格納される。メモリ２２に格納されたデータはリファレンス２３によってメモリ３０のデータと比較する振幅値に基準がとられた後、比較器２４によって比較される。マイコン２９は、テスト再生時におけるＴＥ信号をアンプ２６が増幅する振幅値とメモリ３０のデータ値とが合うように比較器２４の比較結果に基づいてアンプ２６のゲインを、ゲイン可変抵抗２７をコントロールすることで調整する（ステップ５０４）。
【００３５】
次いで、ＴＥゲインが最適であるか否かの判断が行われ（ステップ５０５）、最適でないと判断された場合には再度ゲイン可変抵抗２７の値がコントロールされる。
【００３６】
したがって、再生時においては、切換えスイッチ３１が端子ａ側に切換えられることにより、ＴＥゲインが最適とされたＴＥ信号に基づいてピックアップのトラッキング制御が行われる。
【００３７】
このように、この実施例では、パワーキャリブレ領域である記録パワー測定領域（ＰＣＡ）にキャリブレーション用信号を記録する動作に併せトラックジャンプしてＴＥ量を得、再生時にはそのＴＥ量と同一レベルとなるようにＴＥゲイン量を調整するようにしたので、記録の前後でプッシュプルＴＥ変調度の変化を生じる光ディスクであっても安定したＴＥサーボを掛けることができる。また、仕様形態の異なる他の光ディスクに対しても記録前後のＴＥ量を一定とすることができる。
【００３８】
図６は、他の実施例を示すものである。本実施例では、データが記録されていない領域（未記録領域）の再生とデータが記録済みの領域（記録後領域）の再生をするにあたり、トラッキングサーボの制御を適切に行うことを目的としている。このため、未記録領域の再生時において切換えスイッチ３１から出力される信号（トラッキングサーボに用いられる信号）と、記録後領域の再生時において切換えスイッチ３１から出力される信号とが同じになるように制御するものである。
まず、ピックアップをパワーキャリブレ領域に移動させるとともに、記録すべき光ディスクに対しての最適な記録パワーの設定を行う（ステップ６０１）。次に、パワーキャリブレーションのための処理、いわゆるＯＰＣ処理を行う（ステップ６０２）。すなわち、ステップ６０２では、パワーキャリブレ領域にキャリブレーション用信号を記録する。
【００３９】
次に、記録後領域（記録後の領域）を再生して、ＴＥオープン（フォーカスサーボをかけ、トラッキングサーボをかけない状態）で、ＴＥ信号の振幅値をメモリ２２に格納する（ステップ６０３）。そして、未記録領域の再生時にメモリ３０に格納しておいたＴＥ信号の振幅値とテスト再生時のＴＥ信号とが合うように、ＴＥゲイン、すなわちアンプ２６のゲインを調整する（ステップ６０４）。
【００４０】
次いで、ＴＥゲインが最適であるか否かの判断を行い（ステップ６０５）、最適でないと判断された場合には再度ゲイン可変抵抗２７の値がコントロールされる。
【００４１】
【発明の効果】
以上説明したように本発明の光学式記録再生装置によれば、光ディスクの記録面の所定の領域（パワー較正領域：ＰＣＡ）にテスト用信号を記録する動作に併せトラックジャンプしてＴＥ量を得、再生時にはそのＴＥ量と同一レベルとなるようにＴＥゲイン量を調整するようにした。また、所定領域に記録されたテスト用信号の再生時、トラッキングサーボオープン状態でトラッキングエラーの振幅値を得、情報再生時においてはそのＴＥ量と同一レベルとなるようにＴＥゲイン量を調整するようにした。
【００４２】
したがって、Ｒ−ＣＤ等に用いられる色素ディスクや書換え可能な相変化ディスク等において、信号の記録の前後でトラッキングエラーの振幅が変化する場合であっても、安定したトラッキングサーボを掛けることができる。
【図面の簡単な説明】
【図１】従来の書換え可能形の光ディスクに対して信号の記録／再生を行う光ピックアップの基本構成を示す斜視図である。
【図２】図１のＴＥ及びＦＥサーボ信号を得るためのサーボゲイン回路を示す図である。
【図３】本発明の光学式記録再生装置の一実施例を示す図である。
【図４】図３の光学式記録再生装置によって情報が記録／再生される光ディスクの一例を示す図である。
【図５】図３の光学式記録再生装置の動作を説明するためのフローチャートである。
【図６】図５のフローを変えた場合の他の実施例を示すフローチャートである。
【符号の説明】
Ａ  フォトディテクタ
Ａ1 〜Ａ4   検出面
１０  減算器
１１  加算器
１２  割り算器
２０，３１  切換えスイッチ
２１，２８  Ａ／Ｄ変換器
２２，３０  メモリ
２４  比較器
２６  アンプ
２９  マイコン
【図１】
0003553094.tif 000002
【図２】
0003553094.tif 000003
【図３】
0003553094.tif 000004
【図４】
0003553094.tif 000005
【図５】
0003553094.tif 000006
【図６】
0003553094.tif 000007